(57)【特許請求の範囲】
【請求項１】
複数の被記録媒体を堆積状態で収容可能な第１収容部を有し、この第１収容部内の被記録媒体を１枚ずつ給紙ローラにより記録部に給送するための第１給紙トレイと、この第１給紙トレイの前記第１収容部上にて前記給紙ローラに対して進退動可能に配置され、複数の被記録媒体を堆積状態で収容可能な第２収容部を有する第２給紙トレイとが備えられ、  前記第２給紙トレイには、前記第２収容部よりも被記録媒体の給送方向上流側部位に排紙受け部が一体的に形成されてなる給紙装置であって、
前記第１給紙トレイには、前記第２給紙トレイを被記録媒体の給送方向下流側に移動させたとき、前記記録部から排出された被記録媒体が前記排紙受け部と、前記第１給紙トレイにおける前記給送方向上流側部位とに跨がって位置するときの当該被記録媒体の排出方向下流側部位を支持するための支持体が起伏可能に設けられていることを特徴とする給紙装置。
【請求項２】
前記第１給紙トレイの底板に、前記被記録媒体の給送方向に沿って進退動可能に装着され、且つ被記録媒体のサイズに対応した位置にロック可能なリヤガイドを備える一方、
前記支持体は、前記第１給紙トレイの前記排出方向下流側部位が上向き突出付勢される弾性板体からなり、
前記支持体は、前記リヤガイドの移動経路中に配置され、
前記リヤガイドの後退時には、当該リヤガイドに拘束されて前記支持体は前記第１給紙トレイの底板に接近するように押圧され、
前記リヤガイドの前進時には、当該リヤガイドによる拘束が解除されて、前記支持体が上向きに突出するように構成されていることを特徴とする請求項１に記載の給紙装置。
【請求項３】
前記支持体は、前記リヤガイドの移動経路に沿って長く形成され、且つ前記第１給紙トレイの前記排出方向上流側部位が前記底板に対して固着され、且つ下流側部位が前記底板に対して自由端に形成されていることを特徴とする請求項２に記載の給紙装置。
【請求項４】
請求項１乃至３のいずれかに記載の第１及び第２給紙トレイと、前記各給紙トレイからＵターンパスを介して給送された被記録媒体に画像を記録するための画像記録部とを備えたことを特徴とする画像記録装置。
【発明の詳細な説明】
【技術分野】
【０００１】
本発明は、堆積状態で収容された被記録媒体を１枚ずつ分離して記録部等に給送する給紙装置及びそれを備えた画像記録装置に関するものである。
【背景技術】
【０００２】
従来から、各種プリンタやファクシミリ等の画像記録装置には、記録用の多数枚の被記録媒体（以下、単に用紙という）を堆積して収容した上面開放形の給紙トレイから給紙ローラの回転により用紙を１枚ずつ分離して画像記録部側へ給送する給紙装置が備えられている。
【０００３】
そして、用紙のサイズや材質（品質）の異なる用紙を別々の給紙トレイ（給紙カセットともいう）に収容して、ユーザーが使用を希望する時に、必要な給紙トレイから給紙を行うようにした画像記録装置は種々知られている。
【０００４】
例えば、特許文献１に開示されている画像記録装置では、例えば多数枚のＡ４サイズまたはリーガルサイズの用紙（普通紙）を堆積収容可能な第１収容部を有し、この第１収容部内の用紙を第１収容部前端（給送方向下流側端部）に設けられた傾斜分離部と給紙ローラとにより１枚ずつＵターンパスを介して記録部に給送するための第１給紙トレイと、この第１給紙トレイの第１収容部上にて、給紙ローラに対して進退動可能に配置され、第１給紙トレイにおける用紙と異なる小サイズ、例えば葉書サイズの複数枚の用紙を堆積収容可能な第２収容部を有する第２給紙トレイとが備えられ、装置本体の前面開口部に、第１給紙トレイ及び第２給紙トレイがそれぞれ進退動可能に配置されているものがある。
【０００５】
そして、特許文献１では、第２給紙トレイにおける第２収容部の後ろ側（用紙の給送方向上流側部位）には、記録部から排出された用紙を受けるための排紙受け部が段付き状にて一体的に形成されていることが開示されている。
【特許文献１】特開２００６−２７３５６７号公報（図１、図２及び図４参照）
【発明の開示】
【発明が解決しようとする課題】
【０００６】
ところで、特許文献１の構成では、第２給紙トレイを第１給紙トレイの給送方向下流側端部（傾斜分離部）まで前進させた状態で、第２給紙トレイにおける排紙受け部の後端（給送方向上流側端部、換言すれば排出方向の下流側端部）は、第１給紙トレイにおける給送方向上流側端部、即ち排出方向の下流側端部）とほぼ一致する位置に配置されるように形成されているから、第２給紙トレイにおける第２収容部内の小サイズの用紙をＵターンパスを介して記録部に送った後排紙すると、当該用紙は排紙受け部上に排紙できる一方、第１給紙トレイにおける第１収容部内の普通サイズの用紙を給紙するためには、第２給紙トレイ全体を給送方向上流側に後退させるので、排紙受け部の後端側が装置本体の開口部から外に大きく突出することになり、画像記録中に装置本体の開口部が存在する側が不必要に嵩張る。
【０００７】
上記の不具合を解消するために、第２給紙トレイにおける排紙受け部の排出方向の長さを短くすると、第１給紙トレイにおける第１収容部内の普通サイズの用紙を給紙する時に後退させた第２給紙トレイにおける排紙受け部が装置本体の開口部から外に突出しない。その代わりに、第２給紙トレイを第１給紙トレイの給送方向下流側端部（傾斜分離部）まで前進させると、排紙受け部の後端と第１給紙トレイにおける後端との間に大きな隙間が発生する結果、次のような不具合が発生するのであった。
【０００８】
即ち、第２給紙トレイにおける第２収容部からの小サイズの用紙をＵターンパスを介して記録部に給送した後、排紙受け部側に排出したときには、この小サイズの用紙の排出方向の前端側が上記大きな隙間内に落ち込み、且つこの用紙の排出方向の中途部が排紙受け部の後端縁に支えられることになり、排出された用紙の排出方向の重心位置が排紙受け部の後端縁よりも下流側（換言すれば、上記隙間側）に位置するときは、当該排出された用紙の排出方向の上流側端部が上向きとなるように大きい角度の傾斜状に持ち上がって停止する。
【０００９】
その結果、後続して排出される用紙が上記傾斜状の用紙に衝突して、排出作用が円滑に行われず、記録部での搬送ピッチが乱れて画質が悪化したり、紙詰まりが発生したりするという問題があった。また、後続して排出される用紙が上記傾斜状の用紙の下面側に潜り込むように排出される結果、用紙の排出順序が狂うという問題もあった。
【００１０】
本発明は、上記課題を解消するものであり、簡単な構成にて、小サイズの用紙の排出姿勢を適正に保持できる給紙装置及び画像記録装置の提供を目的とするものである。
【課題を解決するための手段】
【００１１】
上記の目的を達成するため、請求項１の発明の給紙装置は、複数の被記録媒体を堆積状態で収容可能な第１収容部を有し、この第１収容部内の被記録媒体を１枚ずつ給紙ローラにより記録部に給送するための第１給紙トレイと、この第１給紙トレイの前記第１収容部上にて前記給紙ローラに対して進退動可能に配置され、複数の被記録媒体を堆積状態で収容可能な第２収容部を有する第２給紙トレイとが備えられ、前記第２給紙トレイには、前記第２収容部よりも被記録媒体の給送方向上流側部位に排紙受け部が一体的に形成されてなる給紙装置であって、前記第１給紙トレイには、前記第２給紙トレイを被記録媒体の給送方向下流側に移動させたとき、前記記録部から排出された被記録媒体が前記排紙受け部と、前記第１給紙トレイにおける前記給送方向上流側部位とに跨がって位置するときの当該被記録媒体の排出方向下流側部位を支持するための支持体が起伏可能に設けられているものである。
【００１２】
請求項２に記載の発明は、請求項１に記載の給紙装置において、前記第１給紙トレイの底板に、前記被記録媒体の給送方向に沿って進退動可能に装着され、且つ被記録媒体のサイズに対応した位置にロック可能なリヤガイドを備える一方、前記支持体は、前記第１給紙トレイの前記排出方向下流側部位が上向き突出付勢される弾性板体からなり、前記支持体は、前記リヤガイドの移動経路中に配置され、前記リヤガイドの後退時には、当該リヤガイドに拘束されて前記支持体は前記第１給紙トレイの底板に接近するように押圧され、前記リヤガイドの前進時には、当該リヤガイドによる拘束が解除されて、前記支持体が上向きに突出するように構成されているものである。
【００１３】
請求項３に記載の発明は、請求項２に記載の給紙装置において、前記支持体は、前記リヤガイドの移動経路に沿って長く形成され、且つ前記第１給紙トレイの前記排出方向上流側部位が前記底板に対して固着され、且つ下流側部位が前記底板に対して自由端に形成されているものである。
【００１４】
請求項４に記載の発明の画像記録装置は、請求項１乃至３のいずれかに記載の給紙装置と、前記各給紙トレイからＵターンパスを介して給送された被記録媒体に画像を記録するための画像記録部とを備えたことを特徴とするものである。
【発明の効果】
【００１５】
請求項１に記載の発明によれば、第１給紙トレイには、前記第２給紙トレイを被記録媒体の給送方向下流側に移動させたとき、前記記録部から排出された被記録媒体が前記排紙受け部と、前記第１給紙トレイにおける前記給送方向上流側部位とに跨がって位置するときの当該被記録媒体の排出方向下流側部位（排出方向の先端側）を支持するための支持体が起伏可能に設けられているものであるから、小サイズの被記録媒体に画像記録する場合に、第１給紙トレイに支持体が起立状になっているので、排出された被記録媒体の姿勢が排紙受け部と、前記第１給紙トレイにおける前記給送方向上流側部位とに跨がって位置するときに、極端に排出方向上流側で高くなるような傾斜姿勢とならず、後続排出される被記録媒体が先行する被記録媒体に邪魔されて紙詰まりが発生したり、記録部での搬送ピッチが乱れて画質が悪化することもなく、後続する被記録媒体が先行する被記録媒体の下面側に潜り込んで、被記録媒体の排出堆積順序が狂う等の不都合が無くなり、被記録媒体の排出作業が円滑に行えるという効果を奏する。
【００１６】
請求項２に記載の発明によれば、第１給紙トレイに被記録媒体をセットする場合にはリヤガイドを後退させることで、支持体が伏せられて邪魔にならず、逆に小サイズの被記録媒体に画像記録する場合に、第１給紙トレイに支持体の自由端側が起立状になっているので、排出された被記録媒体の姿勢が極端に排出方向上流側で高くなるような傾斜姿勢とならず、後続排出される被記録媒体が先行する被記録媒体に邪魔されて紙詰まりが発生したり、記録部での搬送ピッチが乱れて画質が悪化したりすることもなく、後続する被記録媒体が先行する被記録媒体の下面側に潜り込んで、被記録媒体の排出堆積順序が狂う等の不都合が無くなり、被記録媒体の排出作業が円滑に行えるという効果を奏する。
【００１７】
請求項３に記載の発明によれば、前記支持体は、前記リヤガイドの移動経路に沿って長く形成され、且つ前記第１給紙トレイの前記排出方向上流側部位が前記底板に対して固着され、且つ下流側部位が前記底板に対して自由端に形成されているものであるから、リヤガイドの前後移動だけの簡単な操作で、支持体を起立させたり伏せ姿勢に変更させたりでき、操作が簡単となる。
【００１８】
請求項４に記載の発明によれば、小サイズの被記録媒体に画像記録する場合に、第１給紙トレイに支持体が起立状になっているので、被記録媒体の排出作業が円滑に行えると共に、第１給紙トレイに被記録媒体をセットする場合にはリヤガイドを後退させることで、支持体が伏せられて邪魔にならず、被記録媒体のサイズに合わせた画像記録操作を迅速に実行することができるという効果を奏する。
【発明を実施するための最良の形態】
【００１９】
本発明の一実施形態を図面を参照しながら説明する。図１は本実施形態に適用された画像記録装置としての多機能装置（複合機）の斜め前方から見た斜視図、図２は第１給紙トレイ上の第２給紙トレイを待機位置に後退させた状態の側断面図、図３は第２給紙トレイを第１給紙トレイに対して前進させ給送状態としたときの側断面図、図４は第１給紙トレイのみの平面図、図５（ａ）は第１給紙トレイにおけるリヤガイドの後退状態を示す側断面図、図５（ｂ）は同じく要部拡大断面図、図６（ａ）は第１給紙トレイにおけるリヤガイドの前進状態を示す側断面図、図６（ｂ）は同じく要部拡大断面図である。
【００２０】
本実施形態の画像記録装置１は、プリンタ機能、コピー機能、スキャナ機能、ファクシミリ機能を備えた多機能装置（ＭＦＤ：Multi Function Device ）に本発明を適用したものであり、図１に示すように、画像記録装置１における合成樹脂製の記録装置本体としての合成樹脂製の射出成形品からなるハウジング２の底部には、その前側の開口部２ａから挿抜可能な給紙カセットが配置されている。この給紙カセットは、第１給紙トレイ３と第２給紙トレイ３０とが積層状態となって構成されている。第２給紙トレイ３０は、第１給紙トレイ３に対して図１におけるＸ軸方向に進退動可能に連結または載置されている。
【００２１】
ハウジング２の上部には、コピー機能やファクシミリ機能における原稿読取などのための画像読取装置１２が配置されている。この画像読取装置１２は図示しない枢軸部を介してハウジング２の一側端に対して上下開閉回動可能に構成されている。さらに画像読取装置１２の上面を覆う原稿カバー体１３の後端は、図示しない枢軸部を介して画像読取装置１２の後端に対して上下開閉回動可能に装着されている。
【００２２】
ハウジング２の上側には、画像読取装置１２の前方に各種操作ボタンや液晶表示部等を備えた操作パネル部１４が設けられている。そして、画像読取装置１２の上面には、原稿カバー体１３を上側に開けて原稿を載置することができる載置用ガラス板（図示せず）が設けられ、その下側に図示しない原稿読取り用の密着型イメージセンサ（ＣＩＳ：Contact Image Sensor) が主走査方向（図１におけるＹ軸方向）に延びるガイドシャフト（図示せず）に沿って往復移動可能に設けられている。
【００２３】
図１において、ハウジング２の前面右側には、図示しないインク貯蔵部にインクカートリッジを出し入れするための開閉可能な扉２ｂが設けられている。
【００２４】
インク貯蔵部には、フルカラー記録のための４色のインクを各々収容したほぼ矩形箱状のインクカートリッジ（個別の色、即ち、ブラック（ＢＫ）、シアン（Ｃ）、マゼンタ（Ｍ）、イエロー（Ｙ）用インクのカートリッジ）を、Ｙ軸線方向に沿って一列状に収容でき、前方から着脱可能となるように構成されている。
【００２５】
そして、各インクカートリッジからインクジェット式の記録ヘッド４に複数本（実施形態では４本）のインク供給管（インクチューブ）を介してインクを供給するように構成されている。なお、４色よりも多数のインク色を使用する場合（６色〜８色等）には、そのインク色の数に応じたインクカートリッジをインク貯蔵部に収容可能に構成すれば良いし、インク供給管もインクカートリッジの数に合わせて増やせばよい。
【００２６】
記録部７は、図２及び図３に示すように、上面が開放された箱型のメインフレーム（図示せず）とその左右一対の側板にて支持され、Ｙ軸方向（主走査方向）に延びる横長の板状の第１及び第２ガイド部材２２、２３との間に形成される。記録部７における記録ヘッド４が下面側に搭載されたキャリッジ５は、用紙搬送方向の上流側の第１ガイド部材２２及び下流側の第２ガイド部材２３に跨がって摺動自在に支持（搭載）されて往復移動可能となっている。
【００２７】
キャリッジ５を往復移動させるために、用紙搬送方向（矢印Ａ方向）の下流側に配置された第２ガイド部材２３の上面には、主走査方向（Ｙ軸方向）に延びるように配置されたタイミングベルト（図示せず）がプーリ（図示せず）に巻回されており、そのタイミングベルトを駆動するＣＲ（キャジッジ）モータ（図示せず）は第２ガイド部材２３の下面に固定されている。
【００２８】
キャリッジ５における記録ヘッド４の下面と対峙するようにＹ軸方向に延びる扁平状のプラテン２６は、前記両ガイド部材２２、２３の間であって、メインフレームの底板の上方に固定されている。
【００２９】
また、プラテン２６を挟んで搬送上流側には、用紙Ｐ（Ｐ１）を記録ヘッド４の下面に送るためのレジストローラ（搬送ローラ）対２７が配置されており、プラテン２６の下流側には記録済みの用紙Ｐ（Ｐ１）を、第２給紙トレイ３０の上面に設けられた排紙受け部３１上に搬送するための排紙ローラ対２８が配置されている（図２、図３参照）。プラテン２６は、レジストローラ（搬送ローラ）対２７によって搬送されてきた用紙Ｐを、記録ヘッド４との間隙を一定にするように支持するのである。
【００３０】
次に、給紙装置の構成について詳述する。本実施形態では、画像記録装置１の前側の開口部２ａから挿抜可能な給紙カセットが配置されている。この給紙カセットは、第１給紙トレイ３と第２給紙トレイ３０とが積層状態となって構成されている。第１給紙トレイ３は、複数の用紙Ｐを堆積状態で収容可能な第１収容部３ｂを備えており、この第１収容部３ｂ内の用紙Ｐは、給送手段６により１枚ずつ記録部７に給送される。第２給紙トレイ３０は、第１給紙トレイ３の第１収容部３ｂ上にて、第１給紙トレイ３及び給送手段６に対して進退動可能に配置され、第１給紙トレイ３における用紙Ｐと異なるサイズ（小さいサイズであり、葉書または写真のＬ版等）の複数（少なくとも１枚以上）の用紙Ｐ１を第２収容部３０ｂに堆積状態で収容可能である（図２〜図６参照）。第２給紙トレイ３０には、第２収容部３０ｂの後方（給送方向上流側部位）に、トレイ状の排紙受け部３１が一体的に形成されている。第２給紙トレイ３０を第１給紙トレイ３に対して給送方向と反対側（図３の矢印Ｃ方向参照）に後退させたとき、その第２給紙トレイ３０の用紙Ｐ１の給送方向の上流側端部は、第１給紙トレイ３の用紙の給送方向の上流側端部とほぼ同じ後位置になる（図２参照）。
【００３１】
第１給紙トレイ３のケース（本体部）は、底板３ａと左右両側板３ｃにより構成されている。第１給紙トレイ３は、例えばＡ４サイズ、レターサイズ、リーガルサイズ等の大きいサイズにカットされた用紙Ｐをその短辺がＹ軸方向（主走査方向）に延びるようにして多数枚積載（堆積）させて収容できる形態とする。第１給紙トレイ３の第１収容部３ｂへの用紙Ｐの最大堆積量は、実施形態では普通紙で１００枚程度、堆積高さはほぼ１０ｍｍ程度とする。
【００３２】
実施形態では、給送手段６における合成樹脂製のアーム体６ｃは駆動軸３９を中心にして上下回動可能であり、アーム体６ｃは傾斜分離板８に近づくように延び、アーム体６ｃ先端部に給紙ローラ６ａが配置され、駆動軸３９から図示しない歯車伝動機構を介して給紙ローラ６ａを回転駆動する。
【００３３】
また、第１給紙トレイ３の先端（給送方向の下流側、図２及び図３参照）には、用紙分離用の傾斜分離板８が配置されている。そして、給送手段６における給紙ローラ６ａと、傾斜分離板８の幅方向（Ｙ方向）の中央部の内面（表面）側に設けられた分離手段としての弾性分離パッド（実施形態では金属板バネ製である、図示せず）とにより、第１給紙トレイ３または第２給紙トレイ３０に堆積状態で収容された被記録媒体である用紙Ｐ（Ｐ１）を一枚ずつ分離搬送する。分離された用紙Ｐ（Ｐ１）は上横向きのＵターンパス（給紙搬送路）用の搬送路体９を介して第１給紙トレイ３より上側（高い位置）に設けられた記録部７に給送される。そして、記録部７にて記録された用紙Ｐがその記録面を上向きにして開口部２ａに向かって排出される。
【００３４】
第１給紙トレイ３における第１収容部３ｂには、当該第１収容部３ｂ内の用紙Ｐの給送方向と平行な側縁を案内し、且つ位置決めするための一対のサイドガイドユニット４０と、後述するリヤガイド４１とが設けられている（図２参照）。なお、図４、図５（ａ）及び図６（ａ）には、上記傾斜分離板８及びサイドガイドユニット４０は図示省略されている。
【００３５】
第２給紙トレイ３０は、その先端側（用紙Ｐ１の給送方向の下流側）の底板（載置部）３０ａの先端に上向き鉤状等の一対の係止片３４が前向きに突設されている（図２参照）。この係止片３４は、第２給紙トレイ３０を給紙位置まで押し込んだ（前進させた）とき、第１給紙トレイ３における傾斜分離板８に穿設された一対の位置決め溝（図示せず）にそれぞれ係合し、第２給紙トレイ３０が左右上下にずれないようにすると共に、第２給紙トレイ３０を給紙位置まで押し込んだ状態を保持できるように構成されている。従って、第２給紙トレイ３０の給紙位置での上下方向及び用紙Ｐ１の給送方向と平行に保持する姿勢が確保でき、用紙Ｐ１の分離・給送作用を確実、且つ安定させることができるという効果を奏する。さらに、第２給紙トレイ３０についても、第１給紙トレイ３と同様の用紙Ｐの給送方向と平行な側縁を案内し、且つ位置決めするためのサイドガイド手段が設けられている。
【００３６】
第１収容部３ｂにおけるリヤガイド４１は、底板３ａの上下面を挟んで、給送方向に沿ってスライド可能（移動可能）なスライダ４１ａと、収容される用紙Ｐの後縁に当接する縦板部４１ｂと、スライダ４１ａの上面側左右中央部４１ｃ（一対の切欠き部４２の間）から縦板部４１ｂの前側に適宜隔てて立設するノブ部４１ｄとを備える。このリヤガイド４１は弾性を有する合成樹脂製の射出成形品である。
【００３７】
スライダ４１ａの左右両側端部が底板３ａに用紙Ｐの給送方向に沿って延びるように凹み形成された一対のガイド溝４３に摺接することにより、この移動経路に沿ってリヤガイド４１が移動可能である。一対のガイド溝４３の間にて底板３ａ上面には複数の係合歯４４が形成されている。各係合歯４４は、ガイド溝４３の延びる方向と直交する方向に延びる凹凸形状であり、これにより、リヤガイド４１がロックされて位置決めできる。
【００３８】
スライダ４１ａの下面に形成された係止爪（図示せず）は、係合歯４４の凹凸部分に対して選択的に係合可能とされている。平面視コ字状の縦板部４１ｂとノブ部４１ｄとをその前後間隔が縮まるようにユーザーが摘むと、上記一対の切欠き部４２の外側で縦板部４１ｂの付け根部と連接されているスライダ４１ａが、合成樹脂材の弾性により、上向きに変位し、スライダ４１ａ下面の係止爪（図示せず）が係合歯４４の凹凸部分から離れるように構成されている。
【００３９】
また、第１給紙トレイ３の給送方向上流側端部には、本発明に係る支持体４５が底板３ａから起伏可能に設けられている。この支持体４５は、一対のガイド溝４３の間（実施形態では、帯状に形成された一対の係合歯４４の間）にて底板３ａの上面に、用紙Ｐ（Ｐ１）の給送方向（換言すれば、用紙Ｐ（Ｐ１）の排出方向（矢印Ｃ方向）に沿って延びる一対の板バネ製の弾性板体である。支持体４５の基部４５ａは屈曲されて底板３ａに穿設された係止孔４６に係止され、支持体４５の自由端側４５ｂは第１給紙トレイ３の後端（給送方向上流側端部）に形成された把手部３ｄに接近するように延びる。リヤガイド４１が前進移動しているとき（支持体４５の基部４５ａよりも前に位置するとき）には、リヤガイド４１は支持体４５を拘束しないので、支持体４５は、その自由端側４５ｂが底板３ａの上面から離れて上向きに起立するように、弾性力（バネ力）が作用している。
【００４０】
第１給紙トレイ３の第１収容部３ｂにＡ４サイズの用紙Ｐをセットするときには、リヤガイド４１を把手部３ｄに接近する位置に後退させる。そのとき、支持体４５はリヤガイド４１のスライダ４１ａの下面に押圧されて、支持体４５が底板３ａの上面と実質上平行で接近した状態に強制的に伏せられている（図２、図５（ａ）及び図５（ｂ）参照）。
【００４１】
この状態では、第１収容部３ｂにセットされたＡ４サイズの用紙Ｐには、支持体４５の上向き付勢力は作用しない。また、セットされたＡ４サイズの用紙Ｐの後端縁はリヤガイド４１における縦板部４１ｂの前縁に当接して位置決めされる。また、この状態では、第１給紙トレイ３内の用紙Ｐを給送し、記録部７で画像記録をした後、第２給紙トレイ３０における排紙受け部３１にて用紙Ｐを受けるため、第２給紙トレイ３０を用紙Ｐ（Ｐ１）の給送方向上流側に移動させ（換言すれば、記録部７から排出される用紙Ｐ（Ｐ１）の排出方向下流側（矢印Ｃ方向）に移動させて）、第２給紙トレイ３０における排紙受け部３１の後端縁が第１給紙トレイ３における把手部３ｄとほぼ同じ位置まで後退している（図２参照）。従って、排出されたＡ４サイズの用紙Ｐは、排紙受け部３１全体で略平面状に受けることができる。その結果、排出されたＡ４サイズなどの大きいサイズの用紙Ｐは順次先行して排紙された用紙Ｐの上に円滑に重ねられ、紙詰まりなどが発生しない。このような状態は、第２給紙トレイ３０を第１給紙トレイ３の後端側に引き戻している限り、第１収容部３ｂに収容される用紙Ｐのサイズが小さくても同じ結果となる。
【００４２】
他方、第２給紙トレイ３０における第２収容部３０ｂ内に複数枚堆積状態で収容させた小サイズの用紙Ｐ１（例えば、葉書もしくは写真のＬ版用紙等）に画像記録するときであって、第１給紙トレイ３内にサイズの小さい（リヤガイド４１を支持体４５の基部４５ａよりも前方に移動させなければ用紙Ｐの後端をガイドできないほど小さい）用紙Ｐが収容されている場合を考える。この場合、第１給紙トレイ３内に収容される用紙Ｐのサイズは、リヤガイド４１を支持体４５の基部４５ａよりも前方に移動させなければ用紙Ｐの後端をガイドできないサイズである。従って、リヤガイド４１を支持体４５の基部４５ａよりも前方に移動させて用紙Ｐの後端をガイドさせると、弾性力（バネ力）の作用により付勢された支持体４５は、その自由端側４５ｂが底板３ａの上面から離れて上向きに起立する。その結果、図６（ａ）及び図６（ｂ）に示すように、支持体４５は、その自由端側４５ｂが把手部３ｄの高さとほぼ同じ高さとなるように、基端部４５ａから自由端側４５ｂまで傾斜状の起立姿勢となる。
【００４３】
従って、給紙ローラ６ａにて小サイズの用紙Ｐ１に対する給送作用を受けるために、第２給紙トレイ３０の先端を、第１給紙トレイ３における傾斜分離板８に当接させるように、第２給紙トレイ３０を給送方向下流側に移動させると、当該第２給紙トレイ３０における排紙受け部３１の後端縁と、第１給紙トレイ３の第１収容部３ｂの後端部（把手部３ｄの近傍）との間には、上向き開放状の大きい空間が形成される（図３参照）。この状態で、画像記録作業を実行すると、記録部７から排出された用紙Ｐ１には、排紙ローラ対２８の箇所を離れると、搬送力が無くなる。その結果、排紙受け部３１と、第１給紙トレイ３における給送方向上流側部位の把手部３ｄとの間に跨がるように、用紙Ｐ１が位置する。そして、この用紙Ｐ１の排出方向（矢印Ｃ方向）に沿う重心位置が、排紙受け部３１の後端縁３１ａよりも排出方向下流側部位に位置すると、排出された小サイズの用紙Ｐ１はその中途部が排紙受け部３１の後端縁３１ａに支持された状態で、当該排出方向下流側部位が下向きとなるように傾斜姿勢となる。そのとき、用紙Ｐ１の排出方向下流側部位は起立している支持体４５の自由端側４５ｂに支持されることになり、傾斜角度θは支持体４５が伏せているときよりも小さくすることができる。
【００４４】
その結果、後続して排出される用紙Ｐ１が先行する小サイズの用紙Ｐ１の後端に衝突して、紙詰まりが発生したり、記録部での搬送ピッチが乱れて画質が悪化したりすることもなく、先行する傾斜状の用紙Ｐ１の下面側に誘導されて、排出堆積順序が狂うという事態を回避することができるのである。
【００４５】
また、第２給紙トレイ３０における第２収容部３０ｂ内に複数枚堆積状態で収容させた小サイズの用紙Ｐ１（例えば、葉書もしくは写真のＬ版用紙等）に画像記録するときであって、第１給紙トレイ３内に例えばＡ４サイズ等のサイズの大きい用紙Ｐが収容されている場合を考える。この場合には、その用紙Ｐの後端縁はリヤガイド４１にて規制され、且つこの背の高いリヤガイド４１は、第１給紙トレイ３における把手部３ｄの近くに配置されているので、画像記録した後排出された小サイズの用紙Ｐ１の排出方向前側がリヤガイド４１にて支持される結果、当該排出された小サイズの用紙Ｐ１の排出方向の後側が大きく上向き傾斜することがなく、上述のごとく、排出された小サイズの用紙Ｐ１は順次先行して排紙された用紙Ｐ１の上に円滑に重ねられて紙詰まりや、記録部での搬送ピッチが乱れて画質が悪化したりすることもなく、先行する傾斜状の用紙Ｐ１の下面側に誘導されて、排出堆積順序が狂うという事態を回避することができるのである。
【００４６】
支持体４５の変形例としては、支持体４５自体に付勢力がなく、図５（ｂ）に示すように把手部３ｄと底板３ａの後端との間の凹部４７の底部に、付勢手段としての圧縮コイルバネ４８を配置し、圧縮コイルバネ４８の上端で支持体４５の自由端側４５ｂを支えて、上向き突出付勢させるように構成しても良い。
【００４７】
なお、第２給紙トレイ３０の収容部）３０ｂ上には、第１給紙トレイ３に堆積する用紙Ｐのサイズよりも小さいサイズ（例えば、葉書もしくは写真のＬ版用紙等）の用紙Ｐ１を複数枚堆積させて収容することができる。また、サイズのみならず、第１給紙トレイ３に一般的に堆積収容される用紙Ｐとは種類の異なる用紙、即ちインクジェットプリンタ専用紙や写真画質用光沢紙のように種類の異なる用紙Ｐ１を多数枚堆積させることができる。
【００４８】
本発明は上記記述及び図面によって説明した実施形態に限定されるものではなく、要旨を逸脱しない範囲内で種々変更して実施することができる。例えば、２本の平行な板状の支持体４５の場合、その両後端部（自由端側４５ｂ）を横向きの連結片にて接続することで、当該支持体４５が平面視コ字状になるように形成しても良い。
【００４９】
さらに、用紙（被記録媒体）の片方の側縁は給紙トレイの側板に沿わせ、他方の側縁のみを１つのサイドガイドユニットの移動より当接させて規制する、いわゆる片寄せタイプのサイドガイドユニットを備えた第１給紙トレイに適用することも可能である。
【００５０】
また、本実施形態では、第２収容部３０ｂに収容される用紙Ｐ１は、第１収容部３ｂに収容される用紙Ｐと異なるサイズに構成したが、これに限ったものではない。即ち、第１収容部３ｂに収容される用紙Ｐと第２収容部３０ｂに収容される用紙Ｐ１とは、同じサイズであってもよい。
【００５１】
以上、本発明の構成を有する給紙装置を備えた画像記録装置では、小サイズの用紙Ｐ１に画像記録する場合に、第１給紙トレイ３に支持体４５が起立状になっているので、用紙Ｐ１の排出作業が円滑に行えると共に、第１給紙トレイ３に用紙Ｐをセットする場合にリヤガイド４１を後退させることで、支持体４５が伏せられて邪魔にならず、用紙のサイズに合わせた画像記録操作を迅速に実行することができる。
【図面の簡単な説明】
【００５２】
【図１】画像記録装置の全体斜視図である。
【図２】第１給紙トレイ上の第２給紙トレイを待機位置に後退させた状態の側断面図である。
【図３】第２給紙トレイを第１給紙トレイに対して前進させ給送状態としたときの側断面図である。
【図４】第１給紙トレイのみの平面図である。
【図５】（ａ）は第１給紙トレイにおけるリヤガイドの後退状態を示す側断面図、（ｂ）は同じく要部拡大断面図である。
【図６】（ａ）は第１給紙トレイにおけるリヤガイドの前進状態を示す側断面図、（ｂ）は同じく要部拡大断面図である。
【符号の説明】
【００５３】
１    画像記録装置
３    第１給紙トレイ
３ａ  底板
３ｂ  第１収容部
３ｄ  把手
６    給送手段
３０  第２給紙トレイ
３０ｂ    第２収容部
４１    リヤガイド
４１ａ  スライダ
４３    ガイド溝
４４    係合歯
４５    支持体
４５ａ  基部
４５ｂ    自由端側
【図１】
0004858713.tif 000002
【図２】
0004858713.tif 000003
【図３】
0004858713.tif 000004
【図４】
0004858713.tif 000005
【図５】
0004858713.tif 000006
【図６】
0004858713.tif 000007